【手続補正書】
【提出日】平成28年2月8日(2016.2.8)
【手続補正１】
【補正対象書類名】特許請求の範囲
【補正対象項目名】全文
【補正方法】変更
【補正の内容】
【特許請求の範囲】
【請求項１】
下記式（ｉ）で表される化合物、下記式（ｉｉ）で表される化合物、下記一般式（ＸＩ）で表される化合物、下記式（１１．２）で表される化合物、及び下記式（２６．２）で表される化合物を含有し、
液晶組成物の総質量に対して、下記式（ｉ）で表される化合物を７質量％以上２０質量％以下含有し、下記式（ｉｉ）で表される化合物を１５質量％以上含有し、下記一般式（ＸＩ）で表される化合物を１５質量％以上３０質量％以下含有し、
下記式（ＸＩ）で表される化合物として、下記式（ＸＩ−１）で表される化合物を２種以上含有することを特徴とする液晶組成物。
【化１】
2015129300.tif 000001
［前記一般式（Ｘ１）中、Ｘ１１１からＸ１１７は、それぞれ独立して、フッ素原子又は水素原子を表し、Ｘ１１１からＸ１１７の少なくとも一つはフッ素原子を表し、Ｒ１１０は炭素原子数１〜５のアルキル基、炭素原子数２〜５のアルケニル基又は炭素原子数１〜４のアルコキシ基を表し、Ｙ１１はフッ素原子又は−ＯＣＦ３を表す。式（ＸＩ−１）中、Ｒ１１０は前記同様である。］
【請求項２】
前記液晶組成物の総量に対して、前記式（ｉｉ）で表される化合物を１５質量％以上６０質量％以下含有する請求項１に記載の液晶組成物。
【請求項３】
一般式（Ｌ）：
【化２】
2015129300.tif 000002
前記式中、
ＲＬ１及びＲＬ２は、それぞれ独立して、炭素原子数１〜８のアルキル基を表し、該アルキル基中の１個又は非隣接の少なくとも２個の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＯＬは０、１、２又は３を表し、
ＢＬ１、ＢＬ２及びＢＬ３は、それぞれ独立して、
（ａ）  １，４−シクロヘキシレン基（この基中に存在する１個の−ＣＨ２−又は隣接していない少なくとも２個の−ＣＨ２−は−Ｏ−に置き換えられてもよい）、及び、
（ｂ）  １，４−フェニレン基（この基中に存在する１個の−ＣＨ＝又は隣接していない少なくとも２個の−ＣＨ＝は−Ｎ＝に置き換えられてもよい）、
からなる群より選ばれる基を表し、上記の基（ａ）と基（ｂ）は、それぞれ独立して、シアノ基、フッ素原子又は塩素原子で置換されていても良く、
ＬＬ１及びＬＬ２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＯＬが２又は３であってＬＬ２が複数存在する場合は、それらは同一であっても異なっていても良く、ＯＬが２又は３であってＢＬ３が複数存在する場合は、それらは同一であっても異なっていても良いが、前記式（ｉｉ）及び式（１１．２）で表される化合物を除く、
で表される少なくとも１種の化合物を更に含有する請求項１又は２に記載の液晶組成物。
【請求項４】
一般式（Ｍ）：
【化３】
2015129300.tif 000003
前記式中、
ＲＭ１は、炭素原子数１〜８のアルキル基を表し、該アルキル基中の１個又は非隣接の少なくとも２個の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよく、
ＰＭは、０、１、２、３又は４を表し、
ＣＭ１及びＣＭ２は、それぞれ独立して、
（ｄ）  １，４−シクロヘキシレン基（この基中に存在する１個の−ＣＨ２−又は隣接していない少なくとも２個の−ＣＨ２−は−Ｏ−又は−Ｓ−に置き換えられてもよい）、及び、
（ｅ）  １，４−フェニレン基（この基中に存在する１個の−ＣＨ＝又は隣接していない少なくとも２個の−ＣＨ＝は−Ｎ＝に置き換えられてもよい）、
からなる群より選ばれる基を表し、上記の基（ｄ）と基（ｅ）は、それぞれ独立して、シアノ基、フッ素原子又は塩素原子で置換されていても良く、
ＫＭ１及びＫＭ２は、それぞれ独立して、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ＰＭが２、３又は４であってＫＭ１が複数存在する場合は、それらは同一であっても異なっていても良く、ＰＭが２、３又は４であってＣＭ２が複数存在する場合は、それらは同一であっても異なっていても良く、
ＸＭ１及びＸＭ３は、それぞれ独立して、水素原子、塩素原子又はフッ素原子を表し、
ＸＭ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表すが、前記式（ｉ）及び式（２６．２）で表される化合物を除く、
で表される少なくとも１種の化合物を更に含有する請求項１〜３のいずれか一項に記載の液晶組成物。
【請求項５】
請求項１〜４のいずれか一項に記載の液晶組成物を用いた液晶表示素子。
【請求項６】
表示方式がＩＰＳモード、ＯＣＢモード、ＥＣＢモード、ＶＡモード、ＶＡ−ＩＰＳモード、又は、ＦＦＳモードである請求項５に記載の液晶表示素子。
【請求項７】
請求項５又は６に記載の液晶表示素子を使用したことを特徴とする液晶表示ディスプレイ。
【手続補正２】
【補正対象書類名】明細書
【補正対象項目名】００１０
【補正方法】変更
【補正の内容】
【００１０】
本発明は以下の態様を包含するものである。
（１）下記式（ｉ）で表される化合物、下記式（ｉｉ）で表される化合物、下記一般式（ＸＩ）で表される化合物、下記式（１１．２）で表される化合物、及び下記式（２６．２）で表される化合物を含有し、
液晶組成物の総質量に対して、下記式（ｉ）で表される化合物を７質量％以上２０質量％以下含有し、下記式（ｉｉ）で表される化合物を１５質量％以上含有し、下記一般式（ＸＩ）で表される化合物を１５質量％以上３０質量％以下含有し、
下記式（ＸＩ）で表される化合物として、下記式（ＸＩ−１）で表される化合物を２種以上含有することを特徴とする液晶組成物。
【手続補正３】
【補正対象書類名】明細書
【補正対象項目名】００１１
【補正方法】変更
【補正の内容】
【００１１】
【化２】
2015129300.tif 000004
［前記一般式（Ｘ１）中、Ｘ１１１からＸ１１７は、それぞれ独立して、フッ素原子又は水素原子を表し、Ｘ１１１からＸ１１７の少なくとも一つはフッ素原子を表し、Ｒ１１０は炭素原子数１〜５のアルキル基、炭素原子数２〜５のアルケニル基又は炭素原子数１〜４のアルコキシ基を表し、Ｙ１１はフッ素原子又は−ＯＣＦ３を表す。式（ＸＩ−１）中、Ｒ１１０は前記同様である。］
【手続補正４】
【補正対象書類名】明細書
【補正対象項目名】００１２
【補正方法】変更
【補正の内容】
【００１２】
（２）前記液晶組成物の総量に対して、前記式（ｉｉ）で表される化合物を１５質量％以上６０質量％以下含有する前記（１）項に記載の組成物。
【手続補正５】
【補正対象書類名】明細書
【補正対象項目名】００１５
【補正方法】変更
【補正の内容】
【００１５】
前記式中、
ＲＬ１及びＲＬ２は、それぞれ独立して、炭素原子数１〜８のアルキル基を表し、該アルキル基中の１個又は非隣接の少なくとも２個の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＯＬは０、１、２又は３を表し、
ＢＬ１、ＢＬ２及びＢＬ３は、それぞれ独立して、
（ａ）  １，４−シクロヘキシレン基（この基中に存在する１個の−ＣＨ２−又は隣接していない少なくとも２個の−ＣＨ２−は−Ｏ−に置き換えられてもよい）、及び、
（ｂ）  １，４−フェニレン基（この基中に存在する１個の−ＣＨ＝又は隣接していない少なくとも２個の−ＣＨ＝は−Ｎ＝に置き換えられてもよい）、
からなる群より選ばれる基を表し、上記の基（ａ）と基（ｂ）は、それぞれ独立して、シアノ基、フッ素原子又は塩素原子で置換されていても良く、
ＬＬ１及びＬＬ２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＯＬが２又は３であってＬＬ２が複数存在する場合は、それらは同一であっても異なっていても良く、ＯＬが２又は３であってＢＬ３が複数存在する場合は、それらは同一であっても異なっていても良いが、前記式（ｉｉ）及び式（１１．２）で表される化合物を除く。
【手続補正６】
【補正対象書類名】明細書
【補正対象項目名】００１８
【補正方法】変更
【補正の内容】
【００１８】
前記式中、
ＲＭ１は、炭素原子数１〜８のアルキル基を表し、該アルキル基中の１個又は非隣接の少なくとも２個の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよく、
ＰＭは、０、１、２、３又は４を表し、
ＣＭ１及びＣＭ２は、それぞれ独立して、
（ｄ）  １，４−シクロヘキシレン基（この基中に存在する１個の−ＣＨ２−又は隣接していない少なくとも２個の−ＣＨ２−は−Ｏ−又は−Ｓ−に置き換えられてもよい）、及び、
（ｅ）  １，４−フェニレン基（この基中に存在する１個の−ＣＨ＝又は隣接していない少なくとも２個の−ＣＨ＝は−Ｎ＝に置き換えられてもよい）、
からなる群より選ばれる基を表し、上記の基（ｄ）と基（ｅ）は、それぞれ独立して、シアノ基、フッ素原子又は塩素原子で置換されていても良く、
ＫＭ１及びＫＭ２は、それぞれ独立して、単結合、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−、−ＯＣＯ−又は−Ｃ≡Ｃ−を表し、
ＰＭが２、３又は４であってＫＭ１が複数存在する場合は、それらは同一であっても異なっていても良く、ＰＭが２、３又は４であってＣＭ２が複数存在する場合は、それらは同一であっても異なっていても良く、
ＸＭ１及びＸＭ３は、それぞれ独立して、水素原子、塩素原子又はフッ素原子を表し、
ＸＭ２は、水素原子、フッ素原子、塩素原子、シアノ基、トリフルオロメチル基、フルオロメトキシ基、ジフルオロメトキシ基、トリフルオロメトキシ基又は２，２，２−トリフルオロエチル基を表すが、前記式（ｉ）及び式（２６．２）で表される化合物を除く。